(57)【要約】【課題】ＡＴＭスイッチの交換処理を阻害する障害を自動的に排除できるＡＴＭネットワークシステムを提供できる。【解決手段】本発明によるＡＴＭネットワークシステムは、セル１０１を送出する複数の処理装置１と、ＡＴＭスイッチ２と、ＡＴＭスイッチ２に接続される制御装置３とを具備する。ＡＴＭスイッチ２は、複数の処理装置１に対応して接続される複数のポート２３を備え、複数のポート２３間におけるセル１０１のスイッチングを行う。制御装置３は、入力されるセル１０１の流量１０６が所定の基準流量１０５を越えるポート２３と、ポート２３に対応する処理装置１との接続を切り離す。【選択図】図１
2007214796.tif 000002
【特許請求の範囲】
【請求項１】
セルを送出する複数の処理装置と、
前記複数の処理装置にそれぞれ接続される複数のポートを備え、前記複数のポート間における前記セルのスイッチングを行うＡＴＭ（Ａｓｙｎｃｈｒｏｎｏｕｓ  Ｔｒａｎｓｆｅｒ  Ｍｏｄｅ）スイッチと、
前記ＡＴＭスイッチに接続される制御装置とを具備し、
前記制御装置は、入力されるセルの流量が所定の基準流量を越えるポートと、前記ポートに対応する処理装置との接続を切り離す
ＡＴＭネットワークシステム。
【請求項２】
請求項１に記載のＡＴＭネットワークシステムにおいて、
前記ＡＴＭスイッチは、前記複数のポートにそれぞれ接続される複数の流量判定部を備え、
前記複数の流量判定部の各々は、対応する前記複数のポートの各々に入力されるセルの流量を測定し、前記測定流量が所定の基準流量を越える場合、前記制御装置に障害通知信号を発行し、
前記制御装置は前記障害通知信号に応じて、前記測定流量が前記基準流量を越えるポートと、前記ポートに対応する処理装置との接続を切り離す
ＡＴＭネットワークシステム。
【請求項３】
請求項１又は２に記載のＡＴＭネットワークシステムにおいて、
前記制御装置は、処理装置からポートに入力されるセルの流量が所定の基準流量を越える場合、前記処理装置に電源停止信号を発行し、
前記処理装置は、前記電源停止信号に応答して自身への電力を供給を停止する
ＡＴＭネットワークシステム。
【請求項４】
請求項１又は２に記載のＡＴＭネットワークシステムにおいて、
前記制御装置は、処理装置からポートに入力されるセルの流量が所定の基準流量を越える場合、使用ポート制御信号を前記ＡＴＭスイッチに発行し、
前記ＡＴＭスイッチは、前記使用ポート制御信号に基づき前記ポートの使用を停止する
ＡＴＭネットワークシステム。
【請求項５】
請求項３に記載のＡＴＭネットワークシステムにおいて、
前記複数の流量判定部と前記制御部との間に設けられる障害通知用バスと、
前記制御装置と前記複数の処理装置との間に設けられる電源制御用バスとを更に具備し、
処理装置から入力されるセルの測定流量が前記基準流量を越えると判定した流量判定部は、前記障害通知用バスを介して前記制御部に前記障害通知信号を発行し、
前記制御装置は前記障害通知信号に基づき、前記電源用制御バスを介して前記処理装置に対し前記電源停止信号を発行する
ＡＴＭネットワークシステム。
【請求項６】
請求項４に記載のＡＴＭネットワークシステムにおいて、
前記複数の流量判定部と前記制御部との間に設けられる障害通知用バスと、
前記制御装置と前記複数の処理装置との間に設けられるスイッチ制御用バスとを更に具備し、
前記測定流量が前記基準流量を越えると判定した流量判定部は、前記障害通知用バスを介して前記制御部に前記障害通知信号を発行し、
前記制御装置は前記障害通知信号に応答して、前記スイッチ制御用バスを介して前記ＡＴＭスイッチに対し前記使用ポート制御信号を発行する
ＡＴＭネットワークシステム。
【請求項７】
複数の処理装置に接続された複数のポート間でセルのスイッチングを行うＡＴＭ（Ａｓｙｎｃｈｒｏｎｏｕｓ  Ｔｒａｎｓｆｅｒ  Ｍｏｄｅ）スイッチにおいて、前記複数のポートの各々に入力されるセルの流量を測定するステップと、
前記測定流量が所定の基準流量を越えるポートと、前記ポートに対応する処理装置との接続を切り離すステップとを具備する
障害排除方法。
【請求項８】
請求項７に記載の障害排除方法において、
前記流量が所定の基準流量を越えるポートに接続する処理装置に対し電源停止信号を発行するステップと、
前記処理装置が、前記電源停止信号に応答して自身への電力の供給を停止するステップとを備える
障害排除方法。
【請求項９】
請求項７に記載の障害排除方法において、
前記流量が所定の基準流量を越える場合、前記ＡＴＭスイッチに使用ポート制御信号を発行するステップと、
前記ＡＴＭスイッチが、前記使用ポート制御信号に応答して前記流量が所定の閾値を越えたポートの使用を停止するステップとを備える
障害排除方法。
【発明の詳細な説明】
【技術分野】
【０００１】
本発明は、ＡＴＭ（Ａｎｃｈｒｏｎｏｕｓ  Ｔｒａｎｓｆｅｒ  Ｍｏｄｅ）ネットワークシステム、及びＡＴＭネットワークシステムにおける障害排除方法に関し、特に、ＡＴＭスイッチに接続された処理装置に発生する障害の監視及びその障害の排除方法に関する。
【背景技術】
【０００２】
複数の処理装置を収容したＡＴＭ（Ａｓｙｎｃｈｒｏｎｏｕｓ  Ｔｒａｎｓｆｅｒ  Ｍｏｄｅ：非同期転送モード）スイッチでは、網内に送出されるセルの輻輳を避けるため、各処理装置から送出されるセルの流量を制限する方式が採用されている。すなわち、処理装置毎に設定された帯域幅を各ポート（通信チャネル）に割り当て、監視しているセルの流量に基づいて、この帯域幅を超えた量のセルを廃棄、又はバッファに一時格納する。このため、ＡＴＭスイッチは、各処理装置から送出されるセルの流量を監視するＵＰＣ（Usage Parameter Control ；使用量パラメタ制御装置）やＮＰＣ（Network Parameter Control ; ネットワークパラメタ制御装置)を備えている。
【０００３】
しかしながら、処理装置のセルの生成や出力に係わる装置（例えばＡＴＭセルジェネレータ回路）に障害が発生すると、処理装置は、セルをＡＴＭスイッチに送出しつづける状態となる場合がある。このような場合、障害となった処理装置に上記のような制限を掛けることができないため、セルがＡＴＭスイッチに流入しつづけてしまう。ＡＴＭスイッチに接続されている他の処理装置のサービスに悪影響を与えることとなる。このため、他の処理装置が本来受信しないはずのセルを多量に受信し続け、処理能力が低下する。あるいは、ＡＴＭスイッチの通信を圧迫するため、セルの交換処理能力が低下する。
【０００４】
このような障害を排除するためには、この障害が発生した処理装置をＡＴＭスイッチから物理的に切り離す必要がある。しかし、従来技術によるＡＴＭネットワークシステムでは、保守者によってこの切り離しが行われている。このため障害排除に時間がかかり、サービス品質が低下する時間が長期に渡り継続してしまう。
【０００５】
以下に示されるように、ネットワークシステムにおける障害監視、障害排除に係る従来技術が記載されている。
【０００６】
特開２００５−２３６７８９号公報には、セル送信部から送出されるセルの流量が閾値以上である場合、当該セル送信部からのセルの送出を停止するＡＴＭ通信装置が記載されている（特許文献１参照）。特許文献１に記載のＡＴＭ通信装置では、ＣＰＵによる演算処理によって、閾値を超えるセルの流量を送出するセル送信部を特定する。この際、ＣＰＵは、送出されたセルをバッファされる際に得られたセルのヘッダに基づいて、セルの流量の測定とセル送信部の特定を行う。このため、特許文献１に記載のＡＴＭ通信装置では、接続するデータ送信部が多い場合、ＣＰＵにおける処理量が増大し、セルの送出停止までの時間が増大する可能性がある。又、上記のようなＡＴＭスイッチを用いたＡＴＭネットワークシステムに適用すると、上記のような障害が発生した処理装置からはセルが送出されなくなるが、この処理装置に対して送信されるセルを停止することはできない。
【０００７】
特開２００１−３３９４０７号公報には、障害が発生した処理装置をシステムから切り離して、障害を排除するＬＡＮ通信システムが記載されている（特許文献２参照）。特許文献２に記載のＬＡＮ通信システムは、通常時に使用される処理装置と、予備の処理装置を備える。このシステムでは使用中の処理装置に障害が発生した場合、その処理装置の電源を切断し予備の処理装置に切り替える。しかし、このシステムでは障害発生を通知する異常通知が処理装置から発行されるため、異常通知が発行できないような障害が発生した場合、処理装置の切り替えができない。
【０００８】
特開２００４−０９６４６０号公報には、伝送路の故障発生時のポートの２重化切り替え動作を実行するイーサネットスイッチが記載されている（特許文献３参照）。特許文献３に記載のイーサネットスイッチは、通常時に使用される運用リンクに接続された第１ポートと、予備リンクに接続された第２ポートとを備え、運用リンクに障害が発生した場合、第１ポートの使用を停止し、第２リンクの使用に切り替える。しかし、このスイッチでは、ポートへ大量のデータが流入するような障害に対して対処する事が困難である。
【０００９】
又、ＡＴＭスイッチに接続するモジュール（処理装置）の障害監視を周期的に実行する障害監視方法が特開平０７−２０２９０２号公報に記載されている（特許文献４参照）。
【特許文献１】特開２００５−２３６７８９号公報
【特許文献２】特開２００１−３３９４０７号公報
【特許文献３】特開２００４−０９６４６０号公報
【特許文献４】特開平０７−２０２９０２号公報
【発明の開示】
【発明が解決しようとする課題】
【００１０】
本発明の目的は、ＡＴＭスイッチの交換処理を阻害する障害を自動的に排除できるＡＴＭネットワークシステムを提供することである。
【００１１】
本発明の他の目的は、ＡＴＭスイッチに接続される他の処理装置に対して影響を与える障害を排除できるＡＴＭネットワークシステムを提供することである。
【課題を解決するための手段】
【００１２】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１３】
本発明によるＡＴＭネットワークシステムは、セル（１０１）を送出する複数の処理装置（１１〜１３、１１’〜１３’）と、ＡＴＭ（Ａｓｙｎｃｈｒｏｎｏｕｓ  Ｔｒａｎｓｆｅｒ  Ｍｏｄｅ）スイッチ（２、２’）と、ＡＴＭスイッチ（２、２’）に接続される制御装置（３、３’）とを具備する。ＡＴＭスイッチ（２、２’）は、複数の処理装置（１１〜１３、１１’〜１３’）にそれぞれ接続される複数のポート（２３１〜２３３）を備え、複数のポート（２３１〜２３３）間におけるセル（１０１）のスイッチングを行う。制御装置（３、３’）は、入力されるセル（１０１）の流量（１０６）が所定の基準流量（１０５）を越えるポート（２３）と、ポート（２３）に対応する処理装置（１）との接続を切り離す。以上のように、ＡＴＭスイッチ（２、２’）におけるセル（１０１）の流量に基づいて処理装置（１、１’）で発生する障害を監視することができる。又、流量に異常がある場合、障害のある処理装置（１、１’）とＡＴＭスイッチ（２、２’）のポート（２３）とを切り離すことで、障害の発生した処理装置（１、１’）が接続するポート（２、２’）へのセル（１０１）の出力及び入力を止めることができる。
【００１４】
ＡＴＭスイッチ（２、２’）は、複数のポート（２３１〜２３３）にそれぞれ接続される複数の流量判定部（２１１〜２１３）を備えることが好ましい。複数の流量判定部（２１１〜２１３）の各々は、対応する複数のポート（２３１〜２３３）の各々に入力されるセル（１０１）の流量を測定し、測定流量（１０６）が所定の基準流量（１０５）を越える場合、制御装置（３、３’）に障害通知信号（１０４）を発行する。制御装置（３、３’）は障害通知信号（１０４）に応じて、測定流量（１０６）が基準流量（１０５）を越えるポート（２３）と、このポート（２３）に対応する処理装置（１、１’）との接続を切り離す。以上のように、本発明によれば、ポート（２３）毎にセル（１０１）の流量を測定し、障害判定を実行する障害判定部（２１）を設けているため、障害発生した処理装置（１、１’）を迅速に特定し、それぞれ独立して処理装置（１、１’）の切り離しを制御できる。
【００１５】
第１の態様に係るＡＴＭネットワークシステムによれば、制御装置（３）は、処理装置（１）からポート（２３）に入力されるセル（１０１）の流量が所定の基準流量（１０５）を越える場合、この処理装置（１）に電源停止信号（１０３）を発行する。処理装置（１）は、電源停止信号（１０３）に応答して自身への電力を供給を停止する。電力の供給されない処理装置（１）は、セル（１０１）をＡＴＭスイッチ（２）に転送できなくなる。このため、ＡＴＭスイッチ（１）への異常セルの流入を止めることができ、他の処理装置（１）が実施する通信サービスやＡＴＭスイッチ（２）における交換処理に等に影響を与える障害を排除することができる。
【００１６】
又、複数の流量判定部（２１１〜２１３）と制御部（３）との間に設けられる障害通知用バス（４）と、制御装置（３）と複数の処理装置（１１〜１３）との間に設けられる電源制御用バス（５）とを更に具備することが好ましい。処理装置（１）から入力されるセル（１０１）の測定流量（１０６）が基準流量（１０６）を越えると判定した流量判定部（２１）は、障害通知用バス（４）を介して制御部（３）に障害通知信号（１０４）を発行する。制御装置（３）は障害通知信号（１０４）に基づき、電源用制御バス（５）を介して処理装置（１）に対し電源停止信号（１０３）を発行する。本発明によれば、障害通知用バス（４）と電源制御用バス（５）をそれぞれ通信線に対し独立に設けることで、処理装置間の通信疎通状況に影響されずに障害の監視及び電源の制御が行える。
【００１７】
第２の態様に係るＡＴＭネットワークシステムによれば、制御装置（３’）は、処理装置（１’）からポート（２３）に入力されるセル（１０１）の流量（１０６）が所定の基準流量（１０５）を越える場合、使用ポート制御信号（１０７）をＡＴＭスイッチ（２’）に発行する。ＡＴＭスイッチ（２’）は、使用ポート制御信号（１０７）に基づきポート（２３）の使用を停止する。このように障害が発生した処理装置（１’）に接続されるポート（２３）を使用しないことで、障害対象の処理装置（１’）から送出されるセル（１０１）の流入を防ぐことができる。
【００１８】
又、複数の流量判定部（２１１〜２１３）と制御部（３’）との間に設けられる障害通知用バス（４）と、制御装置（３’）と複数の処理装置（１１’〜１３’）との間に設けられるスイッチ制御用バス（５’）とを更に具備することが好ましい。測定流量（１０６）が基準流量（１０５）を越えると判定した流量判定部（２１）は、障害通知用バス（４）を介して制御部（３’）に障害通知信号（１０４）を発行する。制御装置（３’）は障害通知信号（１０４）に応答して、スイッチ制御用バス（５’）を介してＡＴＭスイッチ（２’）に対し使用ポート制御信号（１０７）を発行する。本発明によれば、障害通知用バス（４）とスイッチ制御用バス（５’）をそれぞれ通信線に対し独立に設けることで、処理装置間の通信疎通状況に影響されずに障害の監視及び電源の制御が行える。
【００１９】
以上のように、本発明によるＡＴＭネットワークシステムによれば、障害となった処理装置（１、１’）がＡＴＭスイッチ（２、２’）を介して、他の処理装置のサービス停止、などの悪影響を与える可能性がある。この影響を自動的に抑止することで、サービス停止時間を極力短くすることができる。又、１つの処理装置（１）が障害となり、その影響で他の処理装置（１）のサービス品質が低下してしまうことを防止することができる
【発明の効果】
【００２０】
本発明によるＡＴＭネットワークシステムは、ＡＴＭスイッチの交換処理を阻害する障害を自動的に排除することができる。
【００２１】
又、ＡＴＭスイッチに接続される他の処理装置に対して影響を与える障害を排除することができる。
【発明を実施するための最良の形態】
【００２２】
以下、添付図面を参照して、本発明によるＡＴＭネットワークシステムの実施の形態が説明される。図面において同一、又は類似の参照符号は、同一、類似、又は等価な構成要素を示している。又、同一符号の構成が複数の場合、その符号に下付の符号を付しその構成を総称する場合は、下付符号のない符号で示される。
【００２３】
（第１の実施の形態）
以下、図１及び図２を参照して、本発明によるＡＴＭネットワークシステムの第１の実施の形態が説明される。
（第１の実施の形態におけるＡＴＭネットワークシステムの構成）
図１を参照して本発明によるＡＴＭネットワークシステムの第１の実施の形態における構成が説明される。図１は、本発明によるＡＴＭネットワークシステムの第１の実施の形態における構成を示すブロック図である。本発明によるＡＴＭネットワークシステムは、複数の処理装置１１〜１３と、ＡＴＭスイッチ２と、制御装置３とを具備する。ＡＴＭスイッチ２は複数の処理装置１１〜１３に接続され、複数の処理装置１１〜１３間で伝送されるデータの交換処理を実行する。又、ＡＴＭネットワークシステムは、制御装置３に接続された障害通知用バス４と、電源制御用バス５とを具備している。処理装置１１〜１３は障害通知用バス４及び電源制御用バスを介して制御装置３に接続されている。又、ＡＴＭスイッチ２は障害通知用バス４を介して制御装置３に接続されている。制御装置３は、障害通知用バス４を介して通知される障害通知信号１０４及び１０４’に応答して、処理装置１の電源を制御するコンピュータ装置である。
【００２４】
ＡＴＭスイッチ２は、処理装置１１〜１３のそれぞれに対応して接続される複数の流量判定部２１１〜２１３と、流量判定部２１１〜２１３のそれぞれに対応して接続される複数のポート２３１〜２３３と、ポート２３間におけるＡＴＭセル１０１の交換処理を行うスイッチ部２２とを備える。ここで、ＡＴＭスイッチ２に接続される処理装置１の数は３台とは限らず、ＡＴＭスイッチ２が備えるポート２３の数や流量判定部２１の数もこの限りではない。複数のポート２３１〜２３３のそれぞれは、仮想チャネル識別子や仮想パス識別子に例示される回線番号に対応付けられている。スイッチ部２２は、処理装置１から送信されるＡＴＭセル１０１のヘッダに含まれる宛て先回線番号に従ってスイッチングし、回線番号に対応するポート２３に接続している処理装置１に転送する。処理装置１は、ＣＰＵとメモリとを備えるコンピュータ装置である。処理装置１１〜１３の各々は接続先のポート２３１〜２３３の回線番号が設定され、対応するポート２３に接続される。例えば、処理装置１１は、ヘッダの回線番号「０００」に対応するポート２３１に接続される。
【００２５】
図２は、処理装置１と流量判定部２１の構成を示すブロック図である。図２を参照して、処理装置１は、電源制御部１１と、電源１２と、ＡＴＭ生成部と、ＡＴＭセル送受信部とを備える。ＡＴＭセル生成部１３は、図示しないＣＰＵとメモリによって構成され、他の処理装置に転送するデータからＡＴＭセル１０１を生成する。ＡＴＭセル生成部１３は、他の処理装置１に転送するデータを固定長のデータに分割し、宛て先の回線番号を含むヘッダを付与してＡＴＭセル１０１を生成する。ＡＴＭセル送受信部１４は、ＡＴＭスイッチ２に通信接続し、ＡＴＭセル１０１の送受信を制御する。
【００２６】
ここで、ＡＴＭセル生成部１３及びＡＴＭ送受信部１４は、電源１２から供給される電源によって動作する。電源１２は、電源制御部１１が発行する電源制御信号１０３に応答して、ＡＴＭセル生成部１３及びＡＴＭ送受信部１４に対して供給する電源のオン・オフを決定する。電源制御部１１は、電源制御用バス５を介して発行される命令をデコードして、電源１２に対し電源制御信号１０３を発行する。又、制御装置３から送信される電源停止信号１０２に応答して電源１２を停止させるための電源制御信号１０３を発行する。
【００２７】
制御装置３は、各処理装置１とＡＴＭスイッチ２から、障害通知用バス４を介して通知される障害通知信号１０４及び１０４’によって、各処理装置１及びＡＴＭスイッチ２で発生する障害を監視するコンピュータ装置である。制御装置３は、障害通知信号１０４及び１０４’をトリガに、電源制御用バス５を介して、電源停止信号１０２を発行し処理装置の電源を制御する。ここで、障害通知信号１０４には、障害が発生した処理装置１を識別する識別子（例えば、回線番号）が含まれている。制御装置３は、障害通知信号１０４に含まれる識別子に基づき障害が発生した処理装置１を特定する。又、その特定した処理装置１に電源停止信号１０２を電源制御用バス５に送出する。
【００２８】
ＡＴＭスイッチ２から発行される障害通知信号１０４及び１０４’には、障害情報として障害の種類に対応した障害内容識別子や、障害規模を示す情報が含まれても良い。例えば、障害通知信号１０４には、スイッチ部２２の各ポート２３に入力されたＡＴＭセル１０１の流量の測定値（流量測定値１０６）が含まれても良い。この場合、制御部３は、このような障害通知信号１０４に含まれる障害情報や、障害発生した処理装置の識別子に基づき、障害処理装置やその障害内容を表示、あるいは通知する装置を更に具備することが好ましい。制御部３が、障害通知信号１０４に含まれる障害情報を音声や文字データによって通知することで、監視者は、障害排除のため切り離した障害処理装置やその障害内容を把握することができる。
【００２９】
ＡＴＭスイッチ２は、ポート２３毎に接続され、接続するポート２３に入力されるＡＴＭセル１０１の流量を計測する流量判定部２１を備えている。図２を参照して、流量判定部２３は、流量測定部２１１と、基準値格納部２１２と、比較部２１２とを備えている。流量測定部２１１は、一定時間を通知するタイマと、接続しているポート２３に入力されたＡＴＭセル１０１のヘッダの数をカウントするカウンタとを備える。カウンタは一定時間の間に入力されるヘッダの総数を計数する。流量測定部２１１は、タイマから通知される一定時間毎に、カウンタで計数されたヘッダの総数をＡＴＭセル１０１の流量測定値１０６として比較部２１３に通知する。基準値格納部２１２は、障害判定に使用する流量基準値１０５が格納された記憶装置である。流量基準値１０５は、例えば、帯域制御やパス制御を規定するＡＴＭセル１０１の流量に基づいて設定される障害判定用の閾値である。具体的には、帯域制御を規定する送出量に障害と見なす閾値を加えた値が流量基準値１０５として設定される。流量基準値１０５は、ポート２３毎に異なる値が設定されても同じ値が設定されても構わない。又、流量基準値１０５の設定方法は、事前にＡＴＭネットワークシステムの保守者によって設定されても良いし、ＡＴＭスイッチ２に通信接続した処理装置１から申告される設定値に基づいて設定されても良い。
【００３０】
比較部２１３は流量測定値１０６と流量基準値１０５とを比較し、当該ポート２３に接続された処理装置１における障害の有無を判定する。又、流量異常と判定すると、そのポートの回線番号を付加した障害通知信号１０４を制御部３に送信する。この際、測定流量１０６を障害通知信号１０４に含ませても構わない。詳細には、比較部２１３は流量測定値１０６と流量基準値１０５との大小を比較する比較器と、流量測定値１０６が流量基準値１０５より大きい場合、対応するポートの回線番号を付加した障害通知信号１０４を制御部３に送信する通知回路とを備える。又、比較部２１３における判定処理は、ＡＴＭスイッチ２内に設けられたＣＰＵ（図示なし）による演算処理によって行われても構わない。この場合、流量基準値１０６が各ポート２３に対応付けられて、図示しない記憶装置に格納されていることが好ましい。ＣＰＵは各ポート２３の流量判定部２１１から送信される流量測定値１０６に応答して記憶装置から当該ポート２３に対応する流量基準値２３を抽出し、比較処理を行う。
【００３１】
（動作）
図１及び図２を参照して、本発明によるＡＴＭネットワークシステムの第１の実施の形態における障害排除動作が説明される。
【００３２】
ＡＴＭスイッチ２に接続された処理装置１１〜１３の各々のＡＴＭセル送受信部１４は、ＡＴＭセル１０１の送出量（例えば帯域制御を規定する送出量）をＡＴＭスイッチ２に申告する。ＡＴＭスイッチ２は、申告された送出量に所定の閾値を加えて流量基準値１０５を算出し、送信元の回線番号に対応する基準値格納部２１２に格納する。尚、処理装置１は、ＡＴＭセル１０１の送出量の申告とともに流量基準値１０５を送信しても構わない。この場合、ＡＴＭスイッチ２は送信された流量基準値１０５を対応する基準値格納部２１２に直接格納する。流量基準値１０５が設定されると処理装置１は運用状態となり、ＡＴＭセル１０１の送受信を開始する。又、ＡＴＭスイッチ２は、処理装置１から申告されたＡＴＭセル１０１の送出量に基づき、図示しないＵＰＣやＮＰＣによってＡＴＭセル１０１の廃棄やスムージングによる転送処理等を行うことで帯域制御やパス制御を実行する。
【００３３】
ここで、処理装置１において、障害発生を通知可能な障害が発生した場合の障害排除方法が説明される。通知可能な障害とは、例えば処理装置１内部のバスやデータ通路、ＡＴＭセル生成部１３におけるパリティエラ、パイロットパタンエラ、クロック断等である。処理装置１１〜１３が運用されている間にこのような障害が発生した場合、障害が発生した処理装置１は障害通知用バス４を介して制御装置３に障害発生を通知する。処理装置１は、自身の識別番号、障害内容を含む障害通知信号１０４’を制御装置３に送信する。制御装置３は、障害通知信号１０４’に含まれる情報に基づき、障害が発生した処理装置名や障害内容を表示する。又、障害内容を参照し、障害が発生した処理装置を切り離す必要があるかどうかを判断する。切り離す必要がある場合、制御装置３は電源停止信号１０２を電源制御用バス５を介して障害の発生した処理装置１に発行する。電源停止信号１０２を受信した処理装置１の電源制御部１１は、電源１２に電源制御信号１０３を出力して電源１２を停止させる。尚、障害内容に応じて処理装置の切り離しの要否を判定するため、制御装置３は障害内容と障害排除方法（例えば処理装置１の電源断）とが対応付けられたテーブルを保持していることが好ましい。
【００３４】
次に、処理装置１において、障害発生を通知できないような障害が発生した場合の障害排除方法が説明される。本実施の形態では、処理装置１１のＡＴＭセル生成部１３に障害が発生した場合について説明される。運用状態にある処理装置１１において、ＡＴＭセル生成部１３が誤動作し、フルレートでＡＴＭセル１０１を送信し続ける状態になる場合がある。このような障害が発生した場合、通常、処理装置１１は障害が発生したことを認識せず、障害通知信号１０４’を制御装置３に送信しない。又、ＡＴＭスイッチ２に異常な量のＡＴＭセル１０１が流入すると、交換処理能力は低下し、他の処理装置１２、１３に対する通信サービスに悪影響を及ぼす。
【００３５】
一方、流量判定部２１１は、処理装置１１からポート２３１に入力されるＡＴＭセル１０１の流量を監視している。流量判定部２１１の流量測定部２１１は一定時間毎のＡＴＭセル数を流量測定値１０６として比較部２１３に出力する。比較部２１３は、流量測定値１０６を取得すると、基準値格納部２１２から流量基準値１０５を取得して比較する。流量基準値１０５より流量測定値１０６が小さい場合、障害なしと判定しＡＴＭ流量の監視を続ける。しかし、流量測定値１０６が流量基準値１０５より大きい場合、対象処理装置１１に障害が発生したと判定し、障害通知信号１０４を発行する。すなわち、上記のような障害がＡＴＭセル生成部１３に発生した場合、ＡＴＭスイッチ２において障害判定や障害通知を自動実行することができる。
【００３６】
比較部２１３は障害を検出すると、監視対象の回線番号及び流量測定値１０６を含めた障害通知信号１０４を、障害通知用バス４を介して制御装置３に送信する。制御装置３は、送信された障害通知信号１０４に含まれた回線番号に対応する処理装置を特定する。この際、制御装置３は、回線番号と処理装置を特定する識別子が対応付けられたテーブルを保持していることが好ましい。制御装置３は、特定した処理装置１１に電源停止信号１０２を発行する。電源停止信号１０２を受信した処理装置１１の電源制御部１１は、電源１２に電源制御信号１０３を発行して電源１２からＡＴＭセル生成部１３への電力を供給を停止させる。又、ＡＴＭスイッチ２’は、ポート２３１宛ての通信を遮断したことを他の処理装置１２’、１３’に通知することが好ましい。この際、通知を受けた処理装置１２’、１３’は、処理装置１１'宛てのＡＴＭセル１０１の送信を停止する。
【００３７】
以上のような制御により、処理装置１１から不正なＡＴＭセルは送出されなくなり、異常なＡＴＭセルの送出によって通信を阻害されていた他の処理装置１２及び１３のサービスや、ＡＴＭスイッチ２における交換処理サービスを改善することができる。
【００３８】
本発明によるＡＴＭネットワークシステムは、処理装置１において発生し、処理装置１が通知できない障害が発生した場合でも、障害処理装置を特定でき、且つ自動的にその処理装置１をシステムから切り離すことができる。又、障害通知用バス４と電源制御用バス５とが独立に設けられているため、処理装置１間における通信疎通状態の影響を受けることなく障害通知や電源制御を実行できる。
【００３９】
（第２の実施の形態）
以下、図３及び図４を参照して、本発明によるＡＴＭネットワークシステムの第２の実施の形態が説明される。第１の実施の形態と同一符号の構成は、動作や機能が同様であるので説明は省略される。
【００４０】
（第２の実施の形態におけるＡＴＭネットワークシステムの構成）
図３を参照して本発明によるＡＴＭネットワークシステムの第２の実施の形態における構成が説明される。図３は、本発明によるＡＴＭネットワークシステムの第３の実施の形態における構成を示すブロック図である。本発明によるＡＴＭネットワークシステムは、複数の処理装置１１’〜１３’と、ＡＴＭスイッチ２’と、制御装置３’とを具備する。又、処理装置１１’〜１３’と制御装置３’との間は、障害通知用バス４で接続されている。更に、ＡＴＭスイッチ２’と制御装置３’との間は、障害通知用バス４及びスイッチ制御用バス５’で接続されている。第２の実施の形態におけるＡＴＭネットワークシステムでは、障害対象の処理装置１’に接続されたＡＴＭスイッチ２’のポート２３の開け閉めを制御して障害対象の処理装置１’をＡＴＭスイッチ２’から切り離す。
【００４１】
ＡＴＭスイッチ２’は第１の実施の形態におけるＡＴＭスイッチ２のスイッチ部２２に替えて、スイッチ制御用バス５’に接続されるスイッチ部２２’を備える構成である。スイッチ部２２’は、処理装置１’から送信されるＡＴＭセル１０１のヘッダに含まれる宛て先回線番号に従ってスイッチングし、回線番号に対応するポート２３に接続している処理装置１に転送する。又、スイッチ制御用バス５’を介して制御装置３’出力される使用ポート制御信号１０７に応答して障害対象のポート２３を閉じ、このポート２３への入出力を停止する。
【００４２】
処理装置１’は、ＡＴＭセル生成部１３とＡＴＭセル送受信部１４とを備え、第１の実施の形態における電源制御部１１を備えないコンピュータ装置である。処理装置１１’〜１３’の各々は接続先のポート２３１〜２３３の回線番号が設定され、対応するポート２３に接続される。例えば、処理装置１１’は、ヘッダの回線番号「０００」に対応するポート２３１に接続される。
【００４３】
制御部３’は、各処理装置１’とＡＴＭスイッチ２’から、障害通知用バス４を介して通知される障害通知信号１０４及び１０４’によって、各処理装置１’及びＡＴＭスイッチ２’で発生する障害を監視するコンピュータ装置である。制御装置３’は、障害通知信号１０４をトリガに、スイッチ制御用バス５’を介して使用ポート制御信号１０７を発行し、スイッチ部２２’におけるポート２３の使用を制御する。ここで、障害通知信号１０４には、障害が発生した処理装置１’に接続されたポートの回線番号が含まれている。制御装置３は、障害通知信号１０４に含まれる回線番号に基づき障害が発生したポート２３を特定する。
【００４４】
（動作）
図３及び図４を参照して、本発明によるＡＴＭネットワークシステムの第２の実施の形態における障害排除動作が説明される。
ＡＴＭスイッチ２’に接続された処理装置１１’〜１３’の各々のＡＴＭセル送受信部１４は、ＡＴＭセル１０１の送出量（例えば帯域制御を規定する送出量）をＡＴＭスイッチ２’に申告する。ＡＴＭスイッチ２’は、申告された送出量に所定の閾値を加えて流量基準値１０５を算出し、送信元の回線番号に対応する基準値格納部２１２に格納する。尚、処理装置１’は、ＡＴＭセル１０１の送出量の申告とともに流量基準値１０５’を送信しても構わない。この場合、ＡＴＭスイッチ２’は送信された流量基準値１０５’を対応する基準値格納部２１２に直接格納する。流量基準値１０５が設定されると処理装置１’は運用状態となり、ＡＴＭセル１０１の送受信を開始する。又、ＡＴＭスイッチ２’は、処理装置１’から申告されたＡＴＭセル１０１の送出量に基づきＡＴＭセル１０１の廃棄やスムージングによる転送処理等を行うことで帯域制御やパス制御を実行する。
【００４５】
ここで、処理装置１’において、障害発生を通知できないような障害が発生した場合の障害排除方法が説明される。本実施の形態では、処理装置１１’のＡＴＭセル生成部１３に障害が発生した場合について説明される。運用状態にある処理装置１１’において、ＡＴＭセル生成部１３が大量のＡＴＭセル１０１を送信し続ける状態になる場合がある。このような障害が発生した場合、通常、処理装置１１’は障害が発生したことを認識せず、障害を制御装置３に通知することができない。
【００４６】
一方、流量判定部２１１は、処理装置１１’からポート２３１に入力されるＡＴＭセル１０１の流量を監視している。流量判定部２１１は、流量測定値１０６が流量基準値１０５より大きい場合、対象処理装置１１に障害が発生したと判定し、障害通知信号１０４を発行する。比較部２１３は障害を検出すると、監視対象の回線番号及び流量測定値１０６を含めた障害通知信号１０４を、障害通知用バス４を介して制御装置３に送信する。制御装置３は、送信された障害通知信号１０４に含まれた回線番号に対応するポート２３を特定する。制御装置３は、特定したポート２３１を閉じるための使用ポート制御信号１０７を発行する。使用ポート制御信号１０７を受け取ったスイッチ部２２’は、使用ポート制御信号１０７で指定されたポート２３１に至るスイッチ回路を閉じる。又、ＡＴＭスイッチ２’は、ポート２３１宛ての通信を遮断したことを他の処理装置１２’、１３’に通知することが好ましい。この際、通知を受けた処理装置１２’、１３’は、処理装置１１'宛てのＡＴＭセル１０１の送信を停止する。
【００４７】
以上のような制御により、処理装置１１’からＡＴＭスイッチ２’に入力される不正なＡＴＭセルはなくなり、異常なＡＴＭセルの送出によって通信を阻害されていた他の処理装置１２’及び１３’のサービスや、ＡＴＭスイッチ２’における交換処理サービスを改善することができる。
【００４８】
第２の実施の形態におけるＡＴＭネットワークシステムは、処理装置１’において発生し、処理装置１’が通知できない障害が発生した場合でも、障害処理装置に接続するポートを特定でき、且つ自動的にその処理装置１’をシステムから切り離すことができる。又、障害通知用バス４とスイッチ制御用バス５’とが独立に設けられているため、処理装置１’間における通信疎通状態の影響を受けることなく障害通知やポートの制御を実行できる。
【００４９】
以上、本発明によるＡＴＭネットワークシステムによれば、流量判定部２３をポート毎に設けているため、ポートに接続される処理装置毎の障害判定を至短時間に行うことができる。又、ＡＴＭスイッチにおけるＡＴＭの流量に基づいて処理装置の障害を検出し、障害対象の処理装置の切り離しを行うため、障害状態を判断できない処理装置や、障害発生を通知不能な処理装置を排除することができる。
【００５０】
以上、本発明の実施の形態を詳述してきたが、具体的な構成は上記実施の形態に限られるものではなく、本発明の要旨を逸脱しない範囲の変更があっても本発明に含まれる。本実施の形態における制御装置は、ＡＴＭスイッチの外部に設けられているがＡＴＭスイッチ内に設けられても構わない。
【図面の簡単な説明】
【００５１】
【図１】図１は、本発明によるＡＴＭネットワークシステムの第１の実施の形態における構成図である。
【図２】図２は、本発明によるＡＴＭネットワークシステムの第１の実施の形態における信号の流れを示すブロック図である。
【図３】図３は、本発明によるＡＴＭネットワークシステムの第２の実施の形態における構成図である。
【図４】図４は、本発明によるＡＴＭネットワークシステムの第２の実施の形態における信号の流れを示すブロック図である。
【符号の説明】
【００５２】
１、１１〜１３、１、１１’〜１３’：処理装置
２、２’：ＡＴＭスイッチ
３、３’：制御装置
４：障害通知用バス
５：電源制御用バス
５’：スイッチ制御用バス
１１：電源制御部
１２：電源
１３：ＡＴＭセル生成部
１４：ＡＴＭセル送受信部
２１、２１１〜２１３：流量判定部
２２、２２’：スイッチ部
２３、２３１〜２３３：ポート
２１１：流量判定部
２１２：基準値格納部
２１３：比較部
１０１：ＡＴＭセル
１０２：電源停止信号
１０３：電源制御信号
１０４、１０４’：障害通知信号
１０５：流量基準値
１０６：流量測定値
１０７：使用ポート制御信号
【図１】
2007214796.tif 000003
【図２】
2007214796.tif 000004
【図３】
2007214796.tif 000005
【図４】
2007214796.tif 000006